(57)【要約】【課題】野外活動時のみならず通学時にも違和感なく着用することができ、学生が水難等に遭った場合であってもある程度の浮力を確保することができると共に、集団からはぐれた場合であっても遭難者を早期発見することができるベストを提供する。【解決手段】リバーシブルベスト１は、図２に示す面が野外活動時に着用する面であり、上方部分が黄色Ｙに配色され、野外で目立つようになっている。他方の面は通学用に着用する面であり、全体として紺色Ｎの配色がなされており、後身頃には組紐で形成された反射ラインが取り付けられている。リバーシブルベスト１には、肩部の内部に浮力を有する肩パット２が設けられており、肩パット２の内部には発信器３が内蔵されている。本発明では本格的な浮力を備えたフローティングベストとは異なり、全体としてベストを薄いものとすることができるため、活動しやすく、夏場でも着用することができる。【選択図】  図２
2007051393.tif 000002
【特許請求の範囲】
【請求項１】
表面と裏面とを切り替えて着用できるリバーシブルベストであって、
一方の面は他方の面よりも明度の高い色彩が施され、
肩部には所定の浮力を有する肩パットが設けられていることを特徴とするリバーシブルベスト。
【請求項２】
前記リバーシブルベストは制限体重別に複数形成され、
前記肩パットの浮力は、前記制限体重の者が着用した際に全体の比重が０．９９以下となることを特徴とする請求項１に記載のリバーシブルベスト。
【請求項３】
少なくとも前記他方の面に光を受けた際にその光を乱反射させる反射部が設けられていることを特徴とする請求項１又は２に記載のリバーシブルベスト。
【請求項４】
前記肩パットは、発泡樹脂で形成され前記肩パットの内部に所定条件下で信号を発信する発信器が防水されて内蔵されていることを特徴とする請求項１，２又は３に記載のリバーシブルベスト。
【発明の詳細な説明】
【技術分野】
【０００１】
本発明は、学生の通学時や野外活動時に着用することができるリバーシブルベストに関する。
【背景技術】
【０００２】
従来、海や川で行われるレジャー用として、浮力を備えたいわゆるフローティングベストと呼ばれるベストが広く知られている。このようなベストは、下記特許文献１に開示されているように、生地を袋状に縫い合わせ、その内部に浮力を有する部材を内蔵することが多く行われている。これらのフローティングベストは、救命胴衣に準じるものとして所定の浮力を有することが要求されているため、内蔵される部材は所定の浮力を得るためにかさばるものとなっている。このため、着用時に自由な動きが制限されたり、夏などの気温が高い季節などでは着用の際に着用者が暑さを感じるという不都合がある。
【０００３】
一方、学生（園児を含む）の野外活動においては、水上での活動が行われるときはこのようなフローティングベストを着用させているが、陸地での活動であるときは着用させていない。しかしながら、学生は監督者の予想を越えた行動をとることが多く、監督者の意に反して水辺に近づいて事故を起こしたり、集団からはぐれて遭難する可能性がある。
【特許文献１】特開２００１−２０７３１１
【発明の開示】
【発明が解決しようとする課題】
【０００４】
本願発明者は、学生の通学時に、交通安全用のベストを学生に着用させることが広く行われていることに着目し、当該安全ベストを野外活動時においても利用することが好ましいと考えた。その際、従来のフローティングベストのようにかさばったりしたのでは自由な行動が阻害され、着用時に暑かったりしたのでは夏場の着用は困難となる。また、陸上での野外活動時においては、従来のフローティングベストのような本格的な浮力は必ずしも必要としない。さらに、集団からはぐれる等の遭難に遭遇した場合、遭難者を早期発見することが望まれる。
【０００５】
そこで、本発明は、野外活動時のみならず通学時にも違和感なく着用することができるベストを提供することを目的とする。また、本発明の他の目的は、学生が野外活動時に水難に遭った場合であってもある程度の浮力を確保することができると共に、集団からはぐれた場合であっても遭難者を早期発見することができるベストを提供することにある。
【課題を解決するための手段】
【０００６】
前記目的を達成するために、本発明のリバーシブルベストは、表面と裏面とを切り替えて着用できるリバーシブルベストであって、一方の面は他方の面よりも明度の高い色彩が施され、肩部には所定の浮力を有する肩パットが設けられていることを特徴とする。
【０００７】
本発明のリバーシブルベストによれば、一方の面に他方の面よりも明度の高い色彩が施されているため、どちらかの面を野外活動時に使用し、その他の面を通学時に使用することにより、野外活動時のみならず通学時にも違和感なく着用することができる。
【０００８】
また、本発明のベストには所定の浮力を有する肩パットが設けられているので、生徒が川や池等に落ちた場合であっても、肩パットの浮力によって学生の顔の部分が水の外に出やすくなり、岸まで泳ぎつく際の補助的な浮力を与えることができる。また、本格的な浮力を備えたフローティングベストとは異なり、肩パットの部分で浮力を得ているため、全体としてベストを薄いものとすることができるため、活動しやすく、夏場でも着用することができる。
【０００９】
また、本発明のリバーシブルベストが制限体重別に複数形成されているときは、前記肩パットの浮力は、前記制限体重の者が着用した際に全体の比重が０．９９以下となるようにすることが好ましい。このように全体の比重が０．９９以下となると、人は背浮きにて水面に顔を出すことができるようになる。従って、生徒が川や池等に落ちた場合であっても、肩パットの浮力によって背浮きが可能な補助浮力を得ることができる。ここで、背浮きとは、人が仰向けになって水面に顔を出して浮いている状態を言う。
【００１０】
尚、全体の比重が小さくなれば浮力が大きくなるため、浮力を得るという観点からは全体の比重が小さい方が好ましい。一方、あまり浮力を大きくすると嵩張ってしまうので好ましくない。従って、全体のバランスを考慮すると、全体の比重は０．９９以下であって、０．９８５近辺であることが好ましい。
【００１１】
また、本発明のリバーシブルベストは、少なくとも前記他方の面に光を受けた際にその光を乱反射させる反射部が設けられていることが好ましい。これによれば、前記反射部が設けられた面を表にして着用することにより、着用者が車等に発見され易くなり、安全性の向上が図られる。
【００１２】
また、本発明のリバーシブルベストにおいては、前記肩パットは、発泡樹脂で形成され前記肩パットの内部に所定条件下で信号を発信する発信器が防水されて内蔵されていることが好ましい。これによれば、野外活動の際に生徒がはぐれた場合、前記発信器によってはぐれた生徒を捜索することが可能となる。また、前記発信器は発泡樹脂で形成された肩パットに内蔵されているため、当該発泡樹脂の肩パットによって外部からの衝撃が緩和される。さらに前記発信器は防水されて肩パットに内蔵されているため、仮にベストが浸水した場合であっても発信器への水の浸入が防止される。前記発信器としては、電池を内蔵した電波発信機のようなものであってもよく、捜索側の発信器からの電波を受信して電磁誘導等によって電流を生じさせて電波を発信するようなものであってもよい。
【発明を実施するための最良の形態】
【００１３】
次に、本発明のリバーシブルベストの実施形態の一例について、図１乃至図４を参照して説明する。本実施形態のリバーシブルベスト１は、図１及び２に示すように、表裏両面で着用できるベストである。図１で示す面は、学生が通学時に着用するように全体の色彩が紺色Ｎになっている。一方、図２で示す面は、学生が遠足等の野外活動時に着用するように上方部分が明度が高く目立つ色である黄色Ｙ、下方部分が紺色Ｎとなっている。また、本実施形態のリバーシブルベスト１は、図１及び図２に示すように、肩部の内部に肩パット２が設けられており、肩パット２の内部には発信器３が内蔵されている。また、本実施形態のリバーシブルベスト１には着用する学生の所定の体重毎に体重制限が設けられている。
【００１４】
まず、図１を参照して通学時に着用する側の面について説明する。本実施形態のリバーシブルベスト１を通学用の面にすると、図１ａ及びｂに示すように全体が紺色Ｎとなり、通学時に違和感なく着用できるようになっている。この通学用の面は、各学校で指定する形状及び色とすることができる。また、図１ａにおいて、符号４は襟、符号５は安全ベル入れであり、符号６の部分はポケットになっている。図１ｂは通学用の面の後側であり、リバーシブルベスト１の中心よりやや下側の箇所には反射テープ７が取り付けられ、その下方にはさらに反射テープ８が取り付けられている。
【００１５】
次に、図２を参照して野外活動時に着用する側の面について説明する。本実施形態のリバーシブルベスト１を野外活動用の面にすると、図２ａ及びｂに示すように上方部分が黄色Ｙで下方部分が紺色Ｎのベストとなり、黄色Ｙの部分が目立つため監督者が野外活動時において学生を監督しやすい。また、図２ａにおいて、符号９はティッシュ入れ、符号１０はポケットである。
【００１６】
次に、図１乃至図４を参照して本実施形態のリバーシブルベスト１の内部に設けられている肩パット２及び発信器３について説明する。本実施形態における肩パット２は、図１ａ及びｂに示すように肩部の左右にそれぞれ別個に設けられており、前身頃においては襟４の下方まで回り込み、後身頃においては背中の縦方向の中心線の近傍まで回り込むように形成されている。また、肩パット２は、図３に示すように発泡ポリオレフィン樹脂の成形品であり、その表面には横方向に複数の溝２ａが設けられ、リバーシブルベスト１を裏返したときに肩の形状に合うように湾曲しやすく形成されている。尚、発泡ポリオレフィン樹脂としては、東レ株式会社の「トーレペフ（登録商標）」等が挙げられるが、これ以外に浮力の大きい樹脂製品又は浮力の大きい繊維製品等を使用してもよい。
【００１７】
また、図３の肩パット２は、図１ａにおいて右側に位置している肩パット２を示しており、襟４の下方に位置する箇所に発信器３が内蔵されている。発信器３は、図４に示すように、肩パット２の厚さの中間位置に内蔵されている。この発信器３は、電池内蔵型のＩＣチップであり、所定の間隔（例えば数秒おき）で外部に電波を発信するものである。この発信器３は、肩パット２の内部で外部から水が浸入しないように防水処理がなされている。
【００１８】
また、この肩パット２は、リバーシブルベスト１の体重制限と同一の体重の人間の比重を下記表１から抽出し、その他の衣服の平均比重を１としたときに、全体の比重が０．９８５以下となるように浮力が定められている。この表１に示す値は、「人間工学基準数値数式便覧、技報堂発行、第４６頁）を基礎としている。このように、リバーシブルベスト１を着用した学生の全体の比重が０．９９以下、好ましくは０．９８５以下となると、仮にこの学生が水中に落ちた場合でも背浮きの状態で顔を水面に出すことが可能となる。尚、表１によれば、男女とも中学２年生以下であればほぼ比重が０．９８５以下であるので、肩パット２の浮力は僅かなものであっても足りることがわかる。
【００１９】
【表１】
2007051393.tif 000003
【００２０】
本実施形態のリバーシブルベスト１は上記構成を備えているので、学生が図１に示す通学用の面を表にして着用したときは、全体として紺色Ｎとなっているため通学の際に違和感なく着用することができる。また、その後身頃には反射テープ７及び８が取り付けられているため、車のライト等が照射されたときは反射テープ７及びその下方の反射テープ８が照射された光を乱反射させるので、車のドライバーは学生がいることを早期に認識することができる。また、本実施形態のリバーシブルベスト１には、安全ベル入れ５が設けられているため、安全ベルの位置が常に明確となっているので、とっさの使用時に素早く安全ベルを取り出すことができる。
【００２１】
また、学生が通学時にランドセルやショルダーバッグを背負った場合であっても、肩パット２が発泡樹脂で形成されているためクッションとなって学生への負担が軽減される。また、発信器３は襟４の下方の位置に内蔵されており、ランドセル等の荷重がかかることがないため、これらの荷重により破損することがない。
【００２２】
一方、学生が図２に示す野外活動用の面を表にして着用したときは、リバーシブルベスト１の上方部分が黄色Ｙとなっているため、集団で行動する際にもその集団を認識しやすくなり、学生がはぐれにくくなると共に、監督者も学生の監督がしやすくなる。
【００２３】
次に、学生が野外活動或いは通学時に池に落ちる等のアクシデントに遭遇した際のリバーシブルベスト１の作用について説明する。学生が何らかのアクシデントにより池等に落ちた場合、肩パット２が浮力を有しているため、学生は頭部を水面の上に引き上げることが容易となる。特に、リバーシブルベスト１の体重制限の体重の人が着用した場合でも全体の比重が０．９８５以下となるように肩パット２の浮力が設けられているため、その体重制限の人であっても背浮きが可能となる。また、制限体重よりも軽い人であればより容易に背浮きをすることができる。
【００２４】
また、学生が立ち泳ぎを試みた場合も、肩パット２の浮力により立ち泳ぎが容易となる。このため、学生が岸にたどり着くことも容易となる。その際、発信器３の部分は水の中に入った状態となるが、発信器３は肩パット２の発泡樹脂の中に防水処理がなされた状態で内蔵されているので、発信器３に水が浸入することはない。
【００２５】
このように、本実施形態のリバーシブルベスト１によれば、野外活動時や通学時に何らかのアクシデントにより水の中に転落した場合であっても、肩パット２の浮力により自力で岸まで泳ぎ着くことが容易となる。
【００２６】
また、登山やハイキング等で学生がはぐれてしまった場合、発信器３から発信される電波を受信することができる受信機（図示せず）を捜索に用いることにより、遭難した学生の発見が容易となる。例えば、ヘリコプター等に前記受信機を積み込み、空中から捜索を行うこともでき、或いは捜索員が各自前記受信機を携帯し、地上から捜索を行うこともできる。
【００２７】
尚、上記実施形態においては、野外活動用の面の上方部分を黄色Ｙにしているが、これに限らず、通学用の面の色よりも明度が高ければ赤等の他の目立つ色としてもよい。特に、救助隊などでも使用されている赤系、橙系、黄色系等の色相が好ましい。また、多数の色を組み合わせたり、ロゴ等を加えることも可能である。また、肩パット２は図１等に示すように襟４の下方まで回り込むような形状としているが、これに限らず、浮力の大きい発泡樹脂等を用いれば通常用いられている肩パットの大きさ及び形状としてもよい。
【００２８】
また、肩パット２はリバーシブルベスト１から取り外し可能としてもよい。このように取り外し可能とすることによりベストを洗濯する場合に肩パット２が洗濯により損傷することを防止することができる。また、肩パット２は、上記実施形態ではその表面に横方向に複数の溝２ａを設けているが、これに限らず、肩パット２を横方向（図３の溝２ａの方向）に複数の部材で形成し、ベストを裏返した際に肩の形状に合うようにしてもよい。
【００２９】
また、上記実施形態においては、発信器３として電池内蔵のＩＣチップを用いているが、これに限らず、他の発信器からの電波を受けて電磁誘導により発電を行い、信号を発信するタイプのＩＣチップやＩＣタグを用いてもよい。また、小型の携帯端末、或いはＧＰＳ端末等を着脱自在に装着するようにしてもよい。また、発信器３の位置においても上記実施例の位置には限られない。ＩＣタグのような小さな発信器であれば、ランドセル等からの負荷が肩パット２によって軽減されるので、肩パット２のどのような位置に内蔵してもよい。以上のように、本発明の趣旨の範囲内であれば、ベストのポケットの位置、使用目的、反射テープの位置や大きさ、肩パッドの形状や大きさ等は上記実施形態には限定されない。
【図面の簡単な説明】
【００３０】
【図１】本実施形態のリバーシブルベストの一方の面を示す説明図。
【図２】本実施形態のリバーシブルベストの他方の面を示す説明図。
【図３】肩パットの構成を示す説明図。
【図４】肩パット内の発信器の状態を示す説明的断面図。
【符号の説明】
【００３１】
１…リバーシブルベスト、２…肩パット、７，８…反射テープ。
【図１】
2007051393.tif 000004
【図２】
2007051393.tif 000005
【図３】
2007051393.tif 000006
【図４】
2007051393.tif 000007